(57)【要約】      （修正有）【課題】両腕を自由に使える状態でタオルを身体に着用できるようにし、身体に着用可能なタオルの利便性を高めた留め具付タオルを提供する。【解決手段】長方形状のタオル本体３における一方の長辺に沿う部分のうち両端側の２箇所と、該両端側の２箇所に対して長辺と直交する方向に間隔をあけた２箇所とに、複数のスナップボタン７が長手方向に間隔をあけてそれぞれ設けられ、短辺に沿う方向に間隔をあけて設けられたスナップボタン７同士を互いに留めることで、使用者が羽織った状態で腕を通す袖状部分９が形成される。【選択図】図２
0003181049.tif 000002
【実用新案登録請求の範囲】
【請求項１】
矩形状のタオル本体における一辺に沿う部分のうち両端側の箇所と、該両端側の箇所に対して前記一辺と直交する方向に間隔をあけた箇所とに、複数の留め具が前記一辺に沿う方向に間隔をあけてそれぞれ設けられ、
前記一辺に直交する方向に間隔をあけて設けられた前記留め具同士を互いに留めることで、使用者が羽織った状態で腕を通す袖状部分が形成される
ことを特徴とする留め具付きタオル。
【請求項２】
請求項１に記載された留め具付きタオルにおいて、
前記タオル本体は、長方形状に形成され、
前記複数の留め具は、前記タオル本体の互いに対向する２つの長辺の各々に沿う部分の両端側の箇所にそれぞれ設けられ、
前記タオル本体における一方の長辺に沿う部分のうち、一方端側に設けられた前記留め具は雄型の留め具であって、他方端側に設けられた前記留め具は雌型の留め具であり、
前記タオル本体における他方の長辺に沿う部分のうち、一方端側に設けられた前記留め具は雌型の留め具であって、他方端側に設けられた前記留め具は雄型の留め具であり、
前記２つの長辺が対向する方向に間隔をあけて設けられた前記雄型の留め具と前記雌型の留め具とを留めることで前記袖状部分を形成し、使用者が羽織った状態で前記袖状部分に腕を通すことで、ボレロ風に着用可能であり、
前記タオル本体をその長手方向における両端側部分が使用者の前方に位置するように首から肩に掛け回して羽織った状態で、一方の長辺の両端側部分を使用者の前方で重ね、当該両端側部分に設けられた前記雄型の留め具と前記雌型の留め具とを留めることで、ケープ風にも着用可能である
ことを特徴とする留め具付きタオル。
【請求項３】
請求項１に記載された留め具付きタオルにおいて、
前記タオル本体における一辺に沿う部分のうち両端側の箇所に対して前記一辺と直交する方向に間隔をあけた箇所に設けられた前記複数の留め具は、前記一辺と該一辺に対向する辺との間の中程に配置され、
前記タオル本体において前記一辺と対向する辺側には、前記袖状部分を形成しない余剰部分が設けられ、
前記余剰部分が前記袖状部分よりも下側に位置するように前記袖状部分に腕を通して羽織ることで、マント風に着用可能であり、
前記余剰部分が前記袖状部分よりも上側に位置するように前記袖状部分に腕を通して羽織ることで、前記余剰部分を頭に被るフードとしても使用可能である
ことを特徴とする留め具付きタオル。
【考案の詳細な説明】
【技術分野】
【０００１】
本考案は、留め具付きタオルに関し、特に、身体に着用可能でタオル本来の目的以外の用途にも使用できる利便性の高いタオルに関するものである。
【背景技術】
【０００２】
特許文献１には、大判のタオルの右側にボタンを設けると共に左側に穴を設けて、両側を掛け止めすることにより、上半身に羽織って着用することができるタオルが開示されている。
【先行技術文献】
【特許文献】
【０００３】
【特許文献１】実開平５−６０３８９号公報
【考案の概要】
【考案が解決しようとする課題】
【０００４】
しかしながら、特許文献１に開示のタオルを上半身に着用してボタンと穴とを掛け止めた係止状態とすると、使用者は、両肩から腕にかけて当該タオルで覆われた状態となるため、腕を挙げたりする動作を行い難く、両腕の動きがタオルに制限されて面倒である。また、職場などで防寒のために特許文献１に開示のようなタオルを着用する場合も考えられるが、この場合には、腕の動きが制限されることから肩凝りなどを招き兼ねない。
【０００５】
本考案は、斯かる点に鑑みてなされたものであり、その目的とするところは、両腕を自由に使える状態でタオルを身体に着用できるようにし、身体に着用可能なタオルの利便性を高めることにある。
【課題を解決するための手段】
【０００６】
上記の目的を達成するために、この考案では、身体に羽織った状態で使用者が腕を通すことができる袖状部分をタオルの両側に形成可能なようにタオル本体に留め具を設けるようにした。
【０００７】
具体的には、本考案は、身体に着用可能な留め具付きタオルを対象とし、以下の解決手段を講じたものである。
【０００８】
すなわち、第１の考案は、上記留め具付きタオルであって、
矩形状のタオル本体における一辺に沿う部分のうち両端側の箇所と、該両端側の箇所に対して前記一辺と直交する方向に間隔をあけた箇所とに、複数の留め具が前記一辺に沿う方向に間隔をあけてそれぞれ設けられ、
前記一辺に直交する方向に間隔をあけて設けられた前記留め具同士を互いに留めることで、使用者が羽織った状態で腕を通す袖状部分が形成される
ことを特徴とする。
【０００９】
第２の考案は、第１の考案の留め具付きタオルにおいて、
前記タオル本体は、長方形状に形成され、
前記複数の留め具は、前記タオル本体の互いに対向する２つの長辺の各々に沿う部分の両端側の箇所にそれぞれ設けられ、
前記タオル本体における一方の長辺に沿う部分のうち、一方端側に設けられた前記留め具は雄型の留め具であって、他方端側に設けられた前記留め具は雌型の留め具であり、
前記タオル本体における他方の長辺に沿う部分のうち、一方端側に設けられた前記留め具は雌型の留め具であって、他方端側に設けられた前記留め具は雄型の留め具であり、
前記２つの長辺が対向する方向に間隔をあけて設けられた前記雄型の留め具と前記雌型の留め具とを留めることで前記袖状部分を形成し、使用者が羽織った状態で前記袖状部分に腕を通すことで、ボレロ風に着用可能であり、
前記タオル本体をその長手方向における両端側部分が使用者の前方に位置するように首から肩に掛け回して羽織った状態で、一方の長辺の両端側部分を使用者の前方で重ね、当該両端側部分に設けられた前記雄型の留め具と前記雌型の留め具とを留めることで、ケープ風にも着用可能である
ことを特徴とする。
【００１０】
第３の考案は、第１の考案の留め具付きタオルにおいて、
前記タオル本体における一辺に沿う部分のうち両端側の箇所に対して前記一辺と直交する方向に間隔をあけた箇所に設けられた前記複数の留め具は、前記一辺と該一辺に対向する辺との間の中程に配置され、
前記タオル本体において前記一辺と対向する辺側には、前記袖状部分を形成しない余剰部分が設けられ、
前記余剰部分が前記袖状部分よりも下側に位置するように前記袖状部分に腕を通して羽織ることで、マント風に着用可能であり、
前記余剰部分が前記袖状部分よりも上側に位置するように前記袖状部分に腕を通して羽織ることで、前記余剰部分を頭に被るフードとしても使用可能である
ことを特徴とする。
【考案の効果】
【００１１】
第１の考案によれば、タオル本体における一辺に沿う部分のうち両端側の箇所に設けられた複数の留め具と、該両端側の箇所に対して前記一辺と直交する方向に間隔をあけた箇所に設けられた複数の留め具とを、互いに留めることで袖状部分が形成される。そして、本考案に係る留め具付きタオルは、この袖状部分に使用者の腕が通されて着用される。この着用状態においては、使用者は袖状部分に腕を通しているので、当該タオルは使用者の身体からずれ落ち難い。しかも、当該タオルの袖状部分は自由に動かすことができるので、使用者は、両腕の動作がタオルの着用に制限されることなく、両腕を自由に使うことができる。これにより、身体に着用可能なタオルの利便性を高めることができる。
【００１２】
第２の考案によれば、ボレロ風にもケープ風にも着用可能であるので、使用者は、着用する環境や場面、自身の好みに合わせた着用の仕方を選ぶことができる。
【００１３】
第３の考案によれば、余剰部分を下側に垂らしてマント風に着用可能であるし、羽織り方を変えることで、余剰部分を頭に被るフードとして使用することも可能であるので、使用者は、使用する環境や場面、自身の好みに合わせた着用の仕方を選ぶことができる。
【図面の簡単な説明】
【００１４】
【図１】図１（ａ）は、本考案の実施形態１に係る留め具付きタオルを表面側から示す図である。図１（ｂ）は、本考案の実施形態１に係る留め具付きタオルを裏面側から示す図である。
【図２】図２（ａ）は、本考案の実施形態１に係る留め具付きタオルをボレロ風に着用した状態を示す図である。図２（ｂ）は、本考案の実施形態１に係る留め具付きタオルをケープ風に着用した状態を示す図である。
【図３】図３（ａ）は、本考案の実施形態２に係る留め具付きタオルを表面側から示す図である。図３（ｂ）は、本考案の実施形態２に係る留め具付きタオルを裏面側から示す図である。
【図４】図４（ａ）は、本考案の実施形態２に係る留め具付きタオルをマント風に着用する場合の該タオルの羽織り方を示す図である。図４（ｂ）は、本考案の実施形態２に係る留め具付きタオルをマント風に着用した状態を示す図である。
【図５】図５（ａ）は、本考案の実施形態２に係る留め具付きタオルを一部フードとして使用可能な状態に着用する場合の該タオルの羽織り方を示す図である。図５（ｂ）は、本考案の実施形態２に係る留め具付きタオルを一部フードとして使用している状態を示す図である。
【考案を実施するための形態】
【００１５】
以下、本考案の実施形態を図面に基づいて詳細に説明する。なお、以下の実施形態の説明は本質的に例示に過ぎず、本考案、その適用物或いはその用途を制限することを意図するものではない。
【００１６】
《考案の実施形態１》
図１（ａ）は、この実施形態１に係る留め具付きタオルを表面側から示す図である。図１（ｂ）は、この実施形態１に係る留め具付きタオルを裏面側から示す図である。
【００１７】
この実施形態１に係る留め具付きタオル１は、図１（ａ），（ｂ）に示すように、長方形状に形成されたタオル本体３に、留め具である複数のスナップボタン５，７が設けられた構成を有している。
【００１８】
タオル本体３は、ポリエステルなどの合成繊維及び綿を含む吸水性、速乾性及び軽量性に優れた繊維からなり、例えば、長辺３ａ，３ｂの長さが１５０ｃｍ〜１７０ｃｍ程度、短辺３ｃ，３ｄの長さが５０ｃｍ〜６０ｃｍ程度のサイズを有している。
【００１９】
複数のスナップボタン５，７は、タオル本体３において互いに対向する２つの長辺３ａ，３ｂの各々の両端側に位置する四隅寄りの４箇所に、これら長辺３ａ，３ｂに沿って間隔をあけて１列に配列されている。これらスナップボタン５，７は、タオル本体３の上記４箇所に例えば４つずつ設けられている。
【００２０】
タオル本体１における一方の長辺（図１（ａ），（ｂ）で上側の長辺）３ａに沿う部分のうち、一方端側（図１（ａ）で右側、図１（ｂ）で左側）に設けられた複数のスナップボタン５はそれぞれ雄型スナップボタン５であって、他方端側（図１（ａ）で左側、図１（ｂ）で右側）に設けられた複数のスナップボタン７はそれぞれ雌型スナップボタン７である。
【００２１】
また、タオル本体１における他方の長辺（図１（ａ），（ｂ）で下側の長辺）３ｂに沿う部分のうち、一方端側（図１（ａ）で右側、図１（ｂ）で左側）に設けられた複数のスナップボタン７はそれぞれ雌型スナップボタン７であって、他方端側（図１（ａ）で左側、図１（ｂ）で右側）に設けられた複数のスナップボタン５はそれぞれ雄型スナップボタン５である。
【００２２】
このように、複数の雄型スナップボタン５は、タオル本体３における２つの長辺３ａ，３ｂに沿って２つある対角のうち一方の対角寄りにそれぞれ配置されていると共に、複数の雌型スナップボタン７は、タオル本体３における２つの長辺３ａ，３ｂに沿って他方の対角寄りにそれぞれ配置されている。複数の雄型スナップボタン５は、図１（ａ）に示すように、当該留め具付きタオル１の表面側に係合面を向けた状態にタオル本体３に取り付けられている。他方、複数の雌型スナップボタン７は、図１（ｂ）に示すように、当該留め具付きタオル１の裏面側に係合面を向けた状態にタオル本体３に取り付けられている。
【００２３】
そして、これら複数の雄型スナップボタン５と複数の雌型スナップボタン７とは、タオル本体３の両端側で２つの長辺３ａ，３ｂが対向する方向Ｄ１、つまり短辺３ｃ，３ｄに沿う方向Ｄ１に間隔をあけて配置されていると共に、タオル本体の２つの長辺３ａ，３ｂの各々に沿って長手方向Ｄ２の両端側に間隔をあけて配置されている。
【００２４】
互いに異なる長辺３ａ，３ｂに沿って設けられた複数の雄型スナップボタン５は、同一の雄型スナップボタンである。また、互いに異なる長辺３ａ，３ｂに沿って設けられた複数の雌型スナップボタン７は、同一の雌型スナップボタンである。これにより、２つの長辺３ａ，３ｂが対向する方向Ｄ２に間隔をあけて設けられた複数の雄型スナップボタン５と複数の雌型スナップボタン７とは着脱可能であるし、長手方向Ｄ１に間隔をあけて設けられた複数の雄型スナップボタン５と複数の雌型スナップボタン７とも着脱可能になっている。
【００２５】
上記構成の留め具付きタオル１では、２つの長辺３ａ，３ｂが対向する方向Ｄ１に間隔をあけて設けられた複数の雄型スナップボタン５と複数の雌型スナップボタン７とを留めることで、使用者が羽織った状態で腕を通す袖状部分９（後に参照する図２（ａ）に示す）が形成される。また、この留め具付きタオル１は、その長手方向Ｄ２の中程で折り曲げて一方の長辺３ａ，３ｂの両端側部分に設けられた複数の雄型スナップボタン５と複数の雌型スナップボタン７とを留めることで、使用者が羽織った状態で首を通す首穴１０（後に参照する図２（ｂ）に示す）を有する形態とされる。
【００２６】
図２（ａ）は、本実施形態に係る留め具付きタオル１をボレロ風に着用した状態を示す図である。図２（ｂ）は、本実施形態に係る留め具付きタオル１をケープ風に着用した状態を示す図である。
【００２７】
上記留め具付きタオル１の１つの使用形態として、使用者は、２つの長辺３ａ，３ｂが対向する方向に間隔をあけて設けられた複数の雄型スナップボタン５と複数の雌型スナップボタン７とを留めることで袖状部分９を形成し、当該留め具付きタオル１を羽織った状態でこの袖状部分９に腕を通すことで、図２（ａ）に示すようにボレロ風に着用することができる。
【００２８】
また、上記留め具付きタオル１の別の使用形態として、使用者は、当該留め具付きタオル１をその長手方向における両端側部分が前方に位置するように首から肩に掛け回して羽織った状態で、一方の長辺３ａ（３ｂ）の両端側部分を使用者の前方で重ね合わせ、当該両端側部分に設けられた複数の雄型スナップボタン５と複数の雌型スナップボタン７とを留めることで、図２（ｂ）に示すようにケープ風にも着用することができる。
【００２９】
その他、上記留め具付きタオル１は、運動時の汗や手洗い後の水分を吸い取るなどのタオル本来の使い方も勿論することができる。
【００３０】
−実施形態１の効果−
この実施形態１によると、留め具付きタオル１は、使用者の腕が袖状部分９に通されて着用されるので、使用者の身体からずれ落ち難い。しかも、当該タオル１の袖状部分９は、自由に動かすことができるので、使用者は、両腕の動作が当該タオル１の着用に制限されることなく、両腕を自由に使うことができる。これにより、身体に着用可能なタオルの利便性を高めることができる。
【００３１】
さらに、この実施形態１によると、留め具付きタオル１をボレロ風にもケープ風にも着用可能であるので、使用者は、着用する環境や場面、自身の好みに合わせた着用の仕方を選ぶことができる。
【００３２】
《考案の実施形態２》
図３（ａ）は、この実施形態２に係る留め具付きタオル１を表面側から示す図である。図３（ｂ）は、この実施形態２に係る留め具付きタオル１を裏面側から示す図である。
【００３３】
なお、本実施形態では、タオル本体３のサイズ及びスナップボタン５，７の配置が上記実施形態１と異なる他は上記実施形態１と同様に構成されているので、構成の異なるタオル本体３のサイズ及びスナップボタン５，７の配置のみ説明し、同一の構成箇所は図１に基づく上記実施形態１の説明に譲ることにして、その詳細な説明を省略する。
【００３４】
本実施形態に係る留め具付きタオル１のタオル本体３は、図３（ａ），（ｂ）に示すように、例えば、長辺３ａ，３ｂの長さが１５０ｃｍ〜１７０ｃｍ程度、短辺３ｃ，３ｄの長さが９０ｃｍ〜１００ｃｍ程度の比較的大判のサイズを有している。
【００３５】
複数のスナップボタン５，７は、タオル本体３の一方の長辺（図３（ａ），（ｂ）で上側の長辺）３ａに沿う部分のうち両端側の２箇所と、該両端側の２箇所に対して短辺に沿う方向Ｄ１に間隔をあけた、互いに対向する２つの長辺３ａ，３ｂの間の中程の２箇所とに、長辺３ａ，３ｂに沿う方向Ｄ２、つまり長手方向Ｄ２に間隔をあけてそれぞれ設けられている。これらスナップボタン５，７は、タオル本体３の上記４箇所に例えば３つずつ設けられている。
【００３６】
タオル本体３において、一方の長辺３ａに沿う２箇所に設けられた複数のスナップボタン７はそれぞれ雌型スナップボタン７であって、２つの長辺３ａ，３ｂの間の中程の２箇所に設けられた複数のスナップボタン５はそれぞれ雄型スナップボタン５である。これら複数の雄型スナップボタン５及び雌型スナップボタン７は、当該留め具付きタオル１の裏面側に係合面を向けた状態にタオル本体３に取り付けられている。
【００３７】
上記構成の留め具付きタオル１でも、上記実施形態１と同様に、短辺３ｃ，３ｄに沿う方向Ｄ１に間隔をあけて設けられた複数の雄型スナップボタン５と複数の雌型スナップボタン７とを留めることで、使用者が羽織った状態で腕を通す袖状部分９（後に参照する図４（ａ）及び図５（ａ）に示す）が形成される。そして、本実施形態では、タオル本体３において他方の長辺（図３（ａ），（ｂ）で下側の長辺）３ｂ側に、上記袖状部分９を形成しない余剰部分１１が設けられている。
【００３８】
図４（ａ）は、本実施形態に係る留め具付きタオル１をマント風に着用する場合の該タオル１の羽織り方を示す図である。図４（ｂ）は、本実施形態に係る留め具付きタオル１をマント風に着用した状態を示す図である。図５（ａ）は、本実施形態に係る留め具付きタオル１の余剰部分１１をフードとして使用可能な状態に着用する場合の該タオル１の羽織り方を示す図である。図５（ｂ）は、本実施形態に係る留め具付きタオル１の余剰部分１１をフードとして使用している状態を示す図である。
【００３９】
上記留め具付きタオル１の１つの使用形態としては、使用者は、短辺に沿う方向に間隔をあけて設けられた複数の雄型スナップボタン５と複数の雌型スナップボタン７とを留めることで袖状部分９を形成し、図４（ａ）に示すように余剰部分１１が袖状部分９よりも下側に位置するように該袖状部分９に腕を通して羽織ることで、図４（ｂ）に示すようにマント風に着用することができる。
【００４０】
また、上記留め具付きタオル１の別の使用形態としては、使用者は、上記と同様にして袖状部分９を形成し、図５（ａ）に示すように余剰部分１１が袖状部分９よりも上側に位置するように該袖状部分９に腕を通して羽織ることで、図５（ｂ）に示すように余剰部分１１を頭に被るフードとしても使用することができる。
【００４１】
その他、上記留め具付きタオル１は、湯上がり後やプールから上がった際の水分を吸い取るバスタオルなどとしてタオル本来の使い方も勿論することができ、また、ブランケットとして使用することもできる。
【００４２】
−実施形態２の効果−
この実施形態２によると、留め具付きタオル１は、使用者の腕が袖状部分９に通されて着用されるので、使用者の身体からずれ落ち難い。しかも、当該タオル１の袖状部分９は自由に動かすことができるので、使用者は両腕を自由に使うことができる。これにより、身体に着用可能なタオルの利便性を高めることができる。
【００４３】
さらに、この実施形態２によると、余剰部分１１を下側に垂らしてマント風に着用可能であるし、羽織り方を変えることで、余剰部分１１を頭に被るフードとしても使用することも可能であるので、使用者は、使用する環境や場面、自身の好みに合わせた着用に仕方を選ぶことができる。
【００４４】
なお、上記実施形態１及び２では、本発明の留め具として雄型及び雌型スナップボタン５，７を用いることを例に挙げて説明したが、本考案はこれに限らない。本発明の留め具としては、例えば、ボタンとこれが掛けられる紐リングとが採用されていてもよく、互いに係合して留めることが可能な器具でれば公知の留め具を採用することが可能である。
【００４５】
また、上記実施形態１及び２では、タオル本体３が長方形状に形成されているとしたが、本考案はこれに限らず、タオル本体３は正方形状に形成されていても構わない。
【００４６】
また、上記実施形態１では、複数のスナップボタン５，７は、タオル本体３において互いに対向する２つの長辺３ａ，３ｂの各々に沿う４箇所に配列されているとし、上記実施形態２では、複数のスナップボタン５，７は、タオル本体３の一方の長辺３ａに沿う部分のうち両端側の２箇所と、該両端側の２箇所に対して短辺に沿う方向Ｄ１に間隔をあけた、互いに対向する２つの長辺３ａ，３ｂの間の中程の２箇所とに配列されているとしたが、本発明はこれに限らない。
【００４７】
これら複数のスナップボタン５，７は、タオル本体３における一辺３ａに沿う部分のうち両端側の箇所と、該両端側の箇所に対して前記一辺３ａと直交する方向Ｄ１に間隔をあけた箇所とに、前記一辺３ａに沿う方向Ｄ２に間隔をあけてそれぞれ設けられていればよく、前記一辺３ａに直交する方向Ｄ１に間隔をあけて設けられたスナップボタン５，７同士を互いに留めることで、使用者が羽織った状態で腕を通す袖状部分９が形成されるように配置されていればよい。
【００４８】
以上、本考案の好ましい実施形態について説明したが、本考案の技術的範囲は上記各実施形態に記載の範囲に限定されない。上記各実施形態が例示であり、それらの各構成要素の組合せに、さらにいろいろな変形例が可能なこと、またそうした変形例も本考案の範囲にあることは当業者に理解されるところである。
【産業上の利用可能性】
【００４９】
以上説明したように、本考案は、留め具付きタオルについて有用であり、特に、両腕を自由に使える状態でタオルを身体に着用できるようにし、身体に着用可能なタオルの利便性を高めることが要望される留め具付きタオルに適している。
【符号の説明】
【００５０】
Ｄ１    長手方向（一辺に沿う方向）
Ｄ２    短辺に沿う方向（一辺に直交する方向）
１      留め具付きタオル
３      タオル本体
３ａ，３ｂ    長辺
５      雄型スナップボタン（雄型の留め具）
７      雌型スナップボタン（雌型の留め具）
９      袖状部分
１１    余剰部分
【図１】
0003181049.tif 000003
【図２】
0003181049.tif 000004
【図３】
0003181049.tif 000005
【図４】
0003181049.tif 000006
【図５】
0003181049.tif 000007